(57)【特許請求の範囲】
【請求項１】
甲母線と乙母線により構成さる超高圧母線、並びに該超高圧母線に接続された変圧器の絶縁抵抗を遠隔操作により測定する絶縁抵抗測定システムであって、
被測定物の絶縁抵抗値を測定する絶縁抵抗計と、
該絶縁抵抗計により測定した絶縁抵抗値を電圧、又は電流に変換する変換手段と、
隣接した電路から誘起された誘導電圧が前記絶縁抵抗計に印加されるのを防止するメガーリングフィルターと、
該メガーリングフィルター、又は接地側に電路を切り替える機能切換開閉器と、
該機能切換開閉器を動作させるための制御信号を受信する切換信号受信部と、を有する絶縁抵抗測定装置を複数備え、
前記甲母線の停止時に該甲母線と前記絶縁抵抗測定装置とを接続する甲母線接地開閉器と、
前記乙母線の停止時に該乙母線と前記絶縁抵抗測定装置とを接続する乙母線接地開閉器と、
前記変圧器の停止時に該変圧器と前記絶縁抵抗測定装置とを接続する変圧器接地開閉器と、
前記甲母線接地開閉器、前記乙母線接地開閉器、及び前記変圧器接地開閉器の断接動作を遠隔操作する制御信号の送信、並びに各前記絶縁抵抗測定装置による測定結果信号の受信を行う制御装置と、を備えたことを特徴とする絶縁抵抗測定システム。
【請求項２】
前記甲母線接地開閉器、前記乙母線接地開閉器、並びに前記変圧器接地開閉器に前記制御信号を受信する信号受信部を夫々備え、前記制御装置は、絶縁抵抗を測定する被測定物の停止を確認後、該被測定物に係る前記信号受信部に前記制御信号を送信して該被測定物と前記絶縁抵抗測定装置を接続すると共に、該絶縁抵抗測定装置の前記切換信号受信部に制御信号を送信して電路を前記メガーリングフィルター側に切り替えることにより、該被測定物の絶縁抵抗値を測定することを特徴とする請求項１に記載の絶縁抵抗測定システム。
【請求項３】
前記制御装置は、前記絶縁抵抗測定装置により測定した絶縁抵抗値が所定の値以下であった場合、前記機能切換開閉器を接地側に切り替えることを特徴とする請求項１又は２に記載の絶縁抵抗測定システム。
【請求項４】
前記変圧器の中性点に該変圧器の停止時に該中性点と前記接地側とを接続する中性点断路器を備えたことを特徴とする請求項１乃至３の何れか一項に記載の絶縁抵抗測定システム。
【請求項５】
前記変圧器の絶縁抵抗を測定する場合、前記変圧器の中性点を前記機能切換開閉器の一方の電路に接続したことを特徴とする請求項１乃至３の何れか一項に記載の絶縁抵抗測定システム。
【発明の詳細な説明】
【技術分野】
【０００１】
本発明は、絶縁抵抗測定装置、及び絶縁抵抗測定システムに関し、特に、母線、及び母線に接続された変圧器の絶縁抵抗を遠隔操作により測定する絶縁抵抗測定システムに関するものである。
【背景技術】
【０００２】
超高圧変電所からは、２本の母線（甲母線、乙母線）を一対にして１組の送電線を構成して超高圧電力を送電している。
図８は、母線に障害（飛来物等）が発生した場合の復旧過程を説明するための模式図である。図８（ａ）では、例えば、５００ＫＶ甲母線（以下、甲母線と呼ぶ）７２、５００ＫＶ乙母線（以下、乙母線と呼ぶ）７３が遮断器７６により接続され、Ｎｏ１〜Ｎｏ３のトランスが断路器７８、７９を介して夫々接続され、Ｎｏ１、Ｎｏ３トランスが甲母線から電力が供給され、Ｎｏ２トランスが乙母線から電力が供給されている。そして、各トランスの供給能力が１０であるとする。
【０００３】
ここで、図８（ｂ）のように、甲母線７２で障害が発生すると、図示しない保護装置が働いて遮断器７６が甲母線７２と乙母線７３を切り離す。これにより、Ｎｏ１、Ｎｏ３トランスが停止して、Ｎｏ２トランスに能力３０が要求されて、負荷供給能力を超過する。この時点から技術員が現場に出動する。
図８（ｃ）のように、この状態が長時間継続すると、Ｎｏ２のトランスが損傷する虞があるので、系統切替により負荷を２０に軽減する。
現場に技術員が到着すると、図８（ｄ）のように、停止しているＮｏ１、Ｎｏ３トランスの絶縁抵抗を測定するため、メガーリングフィルター８０を取り付けて、絶縁抵抗計８１により絶縁抵抗を測定する（所要時間約１時間）。
測定の結果、Ｎｏ１、Ｎｏ３トランスが正常であれば、図８（ｅ）のように乙母線７３によりトランスを充電して、３台のトランスで負荷に電力を供給する。尚、図８（ｆ）は、図８（ｃ）で系統切替ができない場合、母線分割用の区分遮断器８２〜８４を設置してＮｏ２トランスの負荷を軽減した図である。
また、従来技術として特許文献１には、ケーブルの本体絶縁及び防食層のそれぞれの絶縁抵抗をケーブル送電中に測定できるケーブル監視装置について開示されている。
【先行技術文献】
【特許文献】
【０００４】
【特許文献１】特開昭５４−９８９８０号公報
【発明の概要】
【発明が解決しようとする課題】
【０００５】
図８で説明した従来の復旧方法では、事故が発生してから技術員が現場に到着するまで多くの時間を要し、また、到着時間が遅れると特定のトランスに過大の負荷がかかって、トランスを破損するといった問題がある。また、それを防止するために、区分遮断器を設置すると莫大な費用がかかるといった問題がある。
また、特許文献１に開示されている従来技術は、測定時に監視装置を現場まで運んで設置しなければならず、測定までに多くの時間を要するといった問題がある。
本発明は、かかる課題に鑑みてなされたものであり、各変電所の接地装置に、予めメガーリングフィルターを備えた絶縁抵抗計と制御装置との信号の授受を司る送受信部を備え、母線に障害が発生した場合に、該当する電路を遠隔操作により絶縁抵抗計側に接続して、当該絶縁抵抗計で測定したデータを制御装置に送信して絶縁抵抗の良否を判定することにより、障害の復旧を安全に、且つ迅速に行うことができる絶縁抵抗測定システムを提供することを目的とする。
【課題を解決するための手段】
【０００７】
本発明はかかる課題を解決するために、請求項１は、甲母線と乙母線により構成さる超高圧母線、並びに該超高圧母線に接続された変圧器の絶縁抵抗を遠隔操作により測定する絶縁抵抗測定システムであって、被測定物の絶縁抵抗値を測定する絶縁抵抗計と、該絶縁抵抗計により測定した絶縁抵抗値を電圧、又は電流に変換する変換手段と、隣接した電路から誘起された誘導電圧が前記絶縁抵抗計に印加されるのを防止するメガーリングフィルターと、該メガーリングフィルター、又は接地側に電路を切り替える機能切換開閉器と、該機能切換開閉器を動作させるための制御信号を受信する切換信号受信部と、を有する絶縁抵抗測定装置を複数備え、前記甲母線の停止時に該甲母線と前記絶縁抵抗測定装置とを接続する甲母線接地開閉器と、前記乙母線の停止時に該乙母線と前記絶縁抵抗測定装置とを接続する乙母線接地開閉器と、前記変圧器の停止時に該変圧器と前記絶縁抵抗測定装置とを接続する変圧器接地開閉器と、前記甲母線接地開閉器、前記乙母線接地開閉器、及び前記変圧器接地開閉器の断接動作を遠隔操作する制御信号の送信、並びに各前記絶縁抵抗測定装置による測定結果信号の受信を行う制御装置と、を備えたことを特徴とする。
これにより、作業員が現場に到着するまでの時間に、被測定物の絶縁抵抗の良否を判定しておくので、障害の復旧を安全に、且つ迅速に行うことができる。
本発明の絶縁抵抗測定装置は、被測定物の近傍に設置される。例えば、変電所の超高圧母線の遮断器、及びこの超高圧母線に接続された変圧器の絶縁抵抗を測定する場合、これらの遮断器や変圧器の近傍に夫々設置される。また、絶縁抵抗を測定する場合は、被測定物に電圧が印加されていないときに、この被測定物と絶縁抵抗測定装置を接続する接地開閉器と、各接地開閉器の断接動作を遠隔操作する制御信号の送信と絶縁抵抗測定結果を受信する制御装置と、を備えて絶縁抵抗測定システムを構築する。これにより、変電所内の母線、及び変圧器の絶縁抵抗を制御装置により一元管理することができる。
【０００８】
請求項２は、前記甲母線接地開閉器、前記乙母線接地開閉器、並びに前記変圧器接地開閉器に前記制御信号を受信する信号受信部を夫々備え、前記制御装置は、絶縁抵抗を測定する被測定物の停止を確認後、該被測定物に係る前記信号受信部に前記制御信号を送信して該被測定物と前記絶縁抵抗測定装置を接続すると共に、該絶縁抵抗測定装置の前記切換信号受信部に制御信号を送信して電路を前記メガーリングフィルター側に切り替えることにより、該被測定物の絶縁抵抗値を測定することを特徴とする。
被測定物と絶縁抵抗測定装置との電路を断接する各断路器は、制御手段により測定時に遠隔操作されて絶縁抵抗測定装置と接続される。従って、その操作を実現するためには、各接地開閉器に接地開閉器を駆動するための信号を受信する信号受信部が必要となる。このような構成をシステムが備えることにより、制御装置は、絶縁抵抗を測定する被測定物の停止を確認した後に、その信号受信部に制御信号を送信して、被測定物と絶縁抵抗装置とを接続する。そして、機能切換開閉器の切換信号受信部に制御信号を送信して、電路をメガーリングフィルター側に接続する。この結果、絶縁抵抗計と被測定物が接続されて、絶縁抵抗を測定することができる。この測定データは制御装置に送られる。これにより、被測定物の接地と絶縁抵抗測定が遠隔操作により行うことができる。
【０００９】
請求項３は、前記制御装置は、前記絶縁抵抗測定装置により測定した絶縁抵抗値が所定の値以下であった場合、前記機能切換開閉器を接地側に切り替えることを特徴とする。
制御装置は、絶縁抵抗測定装置から送られた絶縁抵抗値を受信して、その値が所定の規定値以下であった場合、被測定物の絶縁抵抗が低下したと判断して不良とみなす。そして、その被測定物を電気的に接地しておき、作業員の安全を確保する。これにより、被測定物の絶縁抵抗が低下した場合、作業員を感電から防護することができる。
請求項４は、前記変圧器の中性点に該変圧器の停止時に該中性点と前記接地側とを接続する中性点断路器を備えたことを特徴とする。
変圧器の絶縁抵抗を測定する場合、変圧器の中性点を切り離す必要がある。そこで本発明では、変圧器の中性点を接地する中性点断路器を備える。これにより、遠方からの中性点の切り離しが可能となる。
請求項５は、前記変圧器の絶縁抵抗を測定する場合、前記変圧器の中性点を前記機能切換開閉器の一方の電路に接続したことを特徴とする。
変圧器の中性点に絶縁抵抗測定装置を接続しても、変圧器１次渡り線に取り付けた場合と同様の絶縁抵抗測定範囲となる。そこで本発明では、変圧器の中性点を絶縁抵抗測定装置の機能切換開閉器に接続し、絶縁抵抗を測定するときはメガーリングフィルター側に切り換え、中性点を接地する場合は、接地側に切り換える。これにより、中性点断路器を１つ省略することができる。
【発明の効果】
【００１０】
本発明によれば、絶縁抵抗測定装置が被測定物の絶縁抵抗を測定する絶縁抵抗計と、絶縁抵抗計により測定した測定値を送信するために電圧、又は電流に変換する変換手段と、誘導電圧により絶縁抵抗計が破壊されるのを防止するメガーリングフィルターと、絶縁抵抗を測定する場合に、電路を絶縁抵抗計側に切り替える機能切換開閉器と、この機能切換開閉器を遠隔操作により動作させる制御信号を受信する切換信号受信部と、を備えているので、作業員が現場に到着するまでの時間に、被測定物の絶縁抵抗の良否を判定することができ、障害の復旧を安全に、且つ迅速に行うことができる。
【図面の簡単な説明】
【００１１】
【図１】本発明の一実施形態に係る絶縁抵抗測定システムの構成を示す図である。
【図２】図１の実施形態の変形実施形態を示す図である。
【図３】超高圧母線に障害が発生した場合の対応を説明するフローチャートである。
【図４】図３のステップＳ３とＳ４の動作を更に詳細に説明するフローチャートである。
【図５】母線に事故が発生した場合の復旧過程を説明するための模式図であり、（ａ）は通常の状態、（ｂ）は甲母線で事故が発生した状態、（ｃ）は技術員が現場に到着するまでの状態、（ｄ）はトランスが復旧した状態を表す図である。
【図６】本発明に係るガス絶縁開閉装置のガス区分図である。
【図７】超高圧母線に障害が発生した場合の対応を説明するフローチャートである。
【図８】母線に事故が発生した場合の従来の復旧過程を説明するための模式図であり、（ａ）は通常の状態、（ｂ）は甲母線で事故が発生した状態、（ｃ）は技術員が現場に到着するまでの状態、（ｄ）は技術員が現場に到着してトランスの絶縁抵抗を測定している状態、（ｅ）はトランスが復旧した状態、（ｆ）は母線分割遮断器を設置した状態を表す図である。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
図１は本発明の一実施形態に係る絶縁抵抗測定システムの構成を示す図である。本発明の絶縁抵抗測定システム１００は、５００ＫＶ甲母線（以下、単に甲母線と呼ぶ）２と、５００ＫＶ乙母線（以下、単に乙母線と呼ぶ）３が、断路器５、遮断器６、及び断路器７により通常時は接続されている超高圧母線１９と、甲母線２の接地動作と絶縁抵抗を測定する絶縁抵抗測定装置４ａ、乙母線３の接地動作と絶縁抵抗を測定する絶縁抵抗測定装置４ｂ、トランス１２の接地動作と絶縁抵抗を測定する絶縁抵抗測定装置４ｃと、各接地開閉器の断接を制御する制御信号の送信と各絶縁抵抗測定装置からのデータを受信する制御装置１と、を備えて構成されている。
尚、本実施形態では、甲母線２から接地開閉器１５ｂを介して絶縁抵抗測定装置４ａが接続され、乙母線３から接地開閉装置１６ｂを介して絶縁抵抗測定装置４ｂが接続され、甲母線２から甲母線断路器８を介して遮断器１１と接地開閉器１０に接続され、乙母線３から乙母線断路器９を介して遮断器１１と接地開閉器１０に接続され、接地開閉器１０を介して絶縁抵抗測定装置４ｃに接続されている。また、遮断器１１を介してトランス１２の１つの巻線に接続され、トランス１２の中性点Ｃから断路器１３を介して大地Ｇに接続され、遮断器１４を介して変圧器１２の２次側が接続されている。
【００１４】
また、制御装置１から各絶縁抵抗測定装置４ａ〜４ｃの切換信号受信部２１にケーブル１８ａ、１８ｆ、１７ｂで接続され、接地開閉器１５、１６、１０の信号受信部１５a、１６a、２０にそれぞれ制御信号１８ｃ、１８ｄ、１７ｃが接続され、また、断路器１３の信号受信部２５に制御信号１８ｇが接続され、各絶縁抵抗測定装置４ａ〜４ｃの電圧・電流変換器（以下、単に変換器と呼ぶ）２４から出力されたデータがケーブル１８ｂ、１８ｅ、１７ａを介して制御装置１に接続されている。従って、接地開閉器１５ｂ、１６ｂ、１０及び断路器１３は制御装置１の制御により駆動される。
ここで、絶縁抵抗測定装置４の構成について説明する。尚、絶縁抵抗測定装置４ａ〜４ｃの構成は全て同じである。本発明の絶縁抵抗測定装置４は、被測定物の絶縁抵抗値を測定するメガー（絶縁抵抗計）２５と、メガー２５により測定した絶縁抵抗値を電圧、又は電流に変換する変換器（変換手段）２４と、隣接した電路から誘起された誘導電圧がメガー２５に印加されるのを防止するメガーリングフィルター２３と、メガーリングフィルター２３、又は接地側（Ｇ）に電路を切り替える機能切換開閉器２２と、機能切換開閉器２２を動作させるための制御信号を受信する切換信号受信部２１と、を備えている。
【００１５】
図２は図１の変形実施形態を示す図である。同じ構成要素には図１と同じ参照番号を付し説明を省略する。図２絶縁抵抗測定システム１１０が図１と異なる点は、トランス１２の中性点Ｃを絶縁抵抗測定装置４ｃの機能切換開閉器２２の電路の一方に接続した点である。トランス１２の中性点Ｃに絶縁抵抗測定装置４Ｃを接続しても、トランス１２の１次渡り線に取り付けた場合と同様の絶縁抵抗測定範囲となる。そこで本実施形態では、トランス１２の中性点Ｃを絶縁抵抗測定装置４ｃの機能切換開閉器２２に接続し、絶縁抵抗を測定するときはメガーリングフィルター２３側に切り替え、中性点Ｃを接地する場合は、接地側に切り替える。これにより、図１の中性点断路器１３と信号受信部２５を省略することができる。
【００１６】
図３は超高圧母線に障害が発生した場合の対応を説明するフローチャートである。図１を参照して説明する。先ず、超高圧母線１９の通常の運用状態について説明する。通常の運用状態では、断路器５、遮断器６、及び断路器７は「入」状態であり、甲母線２と乙母線３は接続された状態である。そして、断路器（母線ＬＳ）８は「入」状態であり、断路器（母線ＬＳ）９は「切」状態、遮断器（トランス１次ＣＢ）１１は「入」状態、接地開閉器（ＢＥ）１０は「切」状態である。この結果、トランス１２には甲母線２から電力が供給されている。
【００１７】
以上の通常の運用状態から、例えば、甲母線に障害が発生すると（Ｓ１）、図示しない保護装置が障害を検出して自動的に、遮断器６を「切」状態とし、甲母線２と乙母線３を切り離す。尚、この時甲母線側に接続されている遮断器（トランス１次ＣＢ）１１も自動的に「切」となる。これにより、トランス１２は停止する（Ｓ２）。この状態を制御装置１が検知すると、絶縁抵抗測定装置４ｃによるトランス１２の１次側の絶縁抵抗を測定してデータを収集する（Ｓ３）。データを分析して正常であれば、トランス１２を復旧させて負荷に電力を供給する（Ｓ４）。それと並行して技術員が現地に到着して事故の原因や復旧作業を行う（Ｓ５）。
【００１８】
図４は図３のステップＳ３とＳ４の動作を更に詳細に説明するフローチャートである。
甲母線２に障害が発生し、トランス１２が停止して、トランス１２の絶縁抵抗を制御装置１が遠隔操作により測定するフローチャートである。制御装置１は、母線の障害を検知すると、断路器８（トランス１次母線ＬＳ）を「切」にして甲母線１２から切り離す（Ｓ１０）。次に遮断器１４（トランス２次ＣＢ）を「切」にして負荷側とトランス１２を切り離す（Ｓ１１）。次に遮断器１１（トランス１次ＣＢ）を「入」にして（Ｓ１２）、制御装置１から信号線１７ｃを介して制御信号を送信して、その信号を信号受信部２０で受信して接地開閉器１０（ＢＥ）を「入」にする（Ｓ１３）。そして、切換信号受信部２１に対して制御信号を送り機能切換開閉器２２をメガー２５側に切り替える（Ｓ１４）。この状態でメガー２５、メガーリングフィルター２３、接地開閉器１０、遮断器１１、トランス１２の電路が形成されたことになる。この状態で、メガー２５から測定電圧を印加して絶縁抵抗を測定する。しかし、断路器１３（接地用ＬＳ）は大地（Ｇ）に接続されているので、測定値が「０」となることを確認する（Ｓ１５）。次に、トランス１２の絶縁抵抗を測定するために、トランス１２の中性点Ｃに接続されている断路器１３（接地用ＬＳ）を「切」にするために、ケーブル１８ｇを介して信号受信部２５に制御信号を送信する（Ｓ１６）。その結果、トランス１２は大地と切り離されるので、絶縁抵抗測定装置４ｃは、メガー２５から電圧を出力してトランス１２の絶縁抵抗を測定して、絶縁抵抗値「＊＊ＭΩ」を得て、変換器２４により電圧、又は電流に変換して制御装置１に送信する（Ｓ１７）。
【００１９】
制御装置１では、そのデータを分析して規定の絶縁抵抗値以上あるか否かを判定する（Ｓ１８）。判定の結果、規定の絶縁抵抗値以上であれば、「良」とみなして（Ｓ１８で良）信号受信部２５に制御信号を送って断路器１３を再び「入」にする（Ｓ１９）。これにより、中性点Ｃが大地に接続されたことを確認するために、絶縁抵抗値が「０」となることを確認する（Ｓ２０）。次に、切換信号受信部２１に制御信号を送って、機能切換開閉器２２を接地側に切り替えて（Ｓ２１）、接地開閉器１０（ＢＥ）を「切」にして（Ｓ２２）、トランス１２の遮断器１１（トランス１次ＣＢ）を「入」にして、トランス１２の１次側を健全な甲母線２に接続する（Ｓ２３）。その後、作業員により障害のある箇所を検証して、障害があれば復旧作業が行われる（Ｓ２４）。
一方、ステップＳ１８において、絶縁抵抗値が規定の絶縁抵抗値に達していない場合は不良とみなして（Ｓ１８で不良）、信号受信部２５に制御信号を送って断路器１３を再び「入」にする（Ｓ２５）。これにより、中性点Ｃが大地に接続されたことを確認するために、絶縁抵抗値が「０」となることを確認する（Ｓ２６）。次に、切換信号受信部２１に制御信号を送って、機能切換開閉器２２を接地側に切り替えて（Ｓ２７）、その後、作業員により障害のある箇所を検証して、障害があれば復旧作業が行われる（Ｓ２４）。
【００２０】
図５は、母線に事故が発生した場合の復旧過程を説明するための模式図である。図５（ａ）では、例えば、甲母線２、乙母線３が遮断器６により接続され、Ｎｏ１〜Ｎｏ３のトランスが断路器８、９を介して夫々接続され、Ｎｏ１、Ｎｏ３トランスが甲母線２から電力が供給され、Ｎｏ２トランスが乙母線３から電力が供給されている。そして、各トランスの供給能力が１０であるとする。また、接地開閉器１０を介して絶縁抵抗測定装置４がそれぞれ接続されている。
ここで、図５（ｂ）のように、甲母線２で障害が発生すると、保護装置が働いて遮断器６が甲母線２と乙母線３を切り離す。これにより、Ｎｏ１、Ｎｏ３トランスが停止して、Ｎｏ２トランスに能力３０が要求されて、負荷供給能力を超過する。この時点から技術員が現場に出動する。
図５（ｃ）で、図４で説明した手順により、Ｎｏ１、Ｎｏ３トランスの遮断器１１、接地開閉器１０が「入」となり、断路器１３が「切」として、絶縁抵抗測定装置４内の機能切換開閉器２２をメガー２５側に切り替えて絶縁抵抗を測定する。即ち、現場技術員の到着を待たずに、トランスの絶縁抵抗を測定するので、Ｎｏ２のトランスは負荷供給能力を超過するが、短時間であるため負荷調整せずに復旧することができる。
図５（ｄ）で、Ｎｏ１、Ｎｏ３トランスの健全性を確認後、乙母線３により各トランスを充電して３台のトランスで均等に電力を供給する。これにより、Ｎｏ２トランスの負荷は供給能力以内となる。
【００２１】
図６は、本発明に係るガス絶縁開閉装置のガス区分図である。ガス絶縁開閉装置は図の一点鎖線ごとにガス室が区切られており、電気を流す導体が金属製のタンクの中に収納されている。タンクの中には空気より絶縁性能に優れた六フッ化硫黄ガスが充填されている。ガスを充填する目的は、設備の縮小化を図るためである。
ガス絶縁開閉装置の母線障害が発生した場合の措置について説明する。現地で絶縁性能を確認後、復旧操作に入るのは同じであるが、ガス絶縁開閉装置は、外部より内部の状態が目視により確認できないため、絶縁抵抗測定に加えて、障害時に発生する分解ガスの有無を確認する必要がある。そのために、図６のガス絶縁開閉装置に、障害部位が高温となって、この熱により六フッ化硫黄ガスが熱分解され、特定のガスが生成されるので、このガスの有無を検知する分解ガス測定装置２６を備える。
【００２２】
図７は超高圧母線に障害が発生した場合の対応を説明するフローチャートである。通常の運用状態から、例えば、甲母線に障害が発生すると（Ｓ３０）、該当母線より供給しているトランスは停止する（Ｓ３１）。そして、分解ガス測定装置２６により分解ガスの有無を測定する（Ｓ３２）。この状態を制御装置１が検知すると、絶縁抵抗測定装置４ｃによるトランス１２の１次側の絶縁抵抗を測定してデータを収集する（Ｓ３３）。データを分析して正常であれば、トランス１２を復旧させて負荷に電力を供給する（Ｓ３４）。それと並行して技術員が現地に到着して事故の原因や復旧作業を行う（Ｓ３５）。
【００２３】
以上説明したとおり、本発明の絶縁抵抗測定装置１００、１１０は、被測定物の絶縁抵抗を測定するメガー２５と、メガー２５により測定した測定値を送信するために電圧、又は電流に変換する変換器２４と、誘導電圧によりメガー２５が破壊されるのを防止するメガーリングフィルター２３と、絶縁抵抗を測定する場合に、電路をメガー２５側に切り替える機能切換開閉器２２と、この機能切換開閉器２２を遠隔操作により動作させる制御信号を受信する切換信号受信部２１と、を備えているので、作業員が現場に到着するまでの時間に、被測定物の絶縁抵抗の良否を判定しておくことにより、障害の復旧を安全に、且つ迅速に行うことができる。尚、制御装置１と各絶縁抵抗測定装置４との間の信号の授受は、有線でも無線でも構わない。
【符号の説明】
【００２４】
１  制御装置、２  甲母線、３  乙母線、４  絶縁抵抗測定装置、５  甲母線断路器、６  遮断器、７  乙母線断路器、８  断路器、９  断路器、１０  接地開閉器、１１  遮断器、１２  トランス、１３  断路器、１４  遮断器、１５a  信号受信部、１５ｂ  接地開閉器、１６a  信号受信部、１６ｂ  接地開閉器、１７、１８  制御信号、１９  超高圧母線、２０  信号受信部、２１  切換信号受信部、２２  機能切換開閉器、２３  メガーリングフィルター、２４  変換器、２５  メガー、２６  分解ガス測定装置、１００、１１０  絶縁抵抗測定システム
【図１】
0005442675.tif 000002
【図２】
0005442675.tif 000003
【図３】
0005442675.tif 000004
【図４】
0005442675.tif 000005
【図５】
0005442675.tif 000006
【図６】
0005442675.tif 000007
【図７】
0005442675.tif 000008
【図８】
0005442675.tif 000009